(57)【要約】【課題】遊技店の遊技機設置構造体への設置の容易化を図る。【解決手段】制御装置１１は、種類や部品裏機構部との関係などによって、遊技盤６や可動枠３に設置される位置を所定の位置に特定できず、遊技盤６の機種によって、変更される場合があることから、制御装置１１には、遊技機設置構造体２１の付帯設備２２を避けるための逃部２３が設けられ、遊技機枠１が遊技機設置構造体２１に設置された場合、遊技機設置構造体２１の付帯設備２２が制御装置１１の逃部２３に配置され、制御装置１１が遊技機設置構造体２１の付帯設備２２と干渉することがなく、制御装置１１の遊技盤６または球誘導部材１０の裏面に取り付けられる位置を変更せずに、遊技機が遊技店の遊技機設置構造体２１に容易に設置することができる。【選択図】図１
2006014799.tif 000002
【特許請求の範囲】
【請求項１】
制御に必要な電気部品の実装された回路基板を内蔵した制御筺体が遊技店の遊技機設置構造体に取り付けられる遊技機枠の裏側に設けられた遊技機の制御装置において、遊技機設置構造体の付帯設備を避けるための領域を回路基板に割り当て、この割り当てられた回路基板の領域を制御に必要な電気部品の実装されない領域とし、この電気部品の実装されない領域に対応する制御筺体の部分をその他の部分よりも遊技機枠の裏側への突出量を小さくしたことを特徴とする遊技機の制御装置。
【請求項２】
制御に必要な電気部品の実装された回路基板を内蔵した制御筺体が遊技店の遊技機設置構造体に取り付けられる遊技機枠の裏側に設けられた遊技機の制御装置において、遊技機設置構造体の付帯設備を避けるための領域を回路基板に割り当て、この割り当てられた回路基板の領域を除去し、この除去された領域に対応する制御筺体の部分を除去するかまたはその他の部分より遊技機枠の裏側への突出量を小さくしたことを特徴とする遊技機の制御装置。
【請求項３】
制御に必要な電気部品の実装された回路基板を内蔵した制御筺体が遊技店の遊技機設置構造体に取り付けられる遊技機枠の裏側に設けられた遊技機の制御装置において、遊技機設置構造体の付帯設備を避けるための領域を回路基板に割り当て、この割り当てられた回路基板の領域以外の領域に制御に必要な電気部品のうちで遊技機設置構造体の付帯設備を避けることの不可能な高さの電気部品を実装し、上記割り当てられた回路基板の領域に制御に必要な電気部品のうちで遊技機設置構造体の付帯設備を避けることの可能な高さの低い電気部品を実装し、この高さの低い電気部品の実装された領域に対応する制御筺体の部分をその他の部分よりも遊技機枠の裏側への突出量を小さくしたことを特徴とする遊技機の制御装置。
【発明の詳細な説明】
【技術分野】
【０００１】
本発明は、遊技店の遊技機設置構造体への設置が容易な遊技機の制御装置に関する。
【背景技術】
【０００２】
遊技機は、制御に必要な電気部品の実装された回路基板を内蔵した制御筺体が遊技店の遊技機設置構造体に取り付けられる遊技機枠の裏側に設けられている。しかしながら、遊技機設置構造体は、遊技店の仕様で作成されるため、遊技機枠を設置するための空間の高さや横幅については規格化さているものの、遊技機設置構造体に付帯される補給機構や球貸機に投入された貨幣を搬送する貨幣搬送機構などの設置位置が遊技店によって多少異なることから、遊技機を遊技機設置構造体に設置する場合、遊技機枠の裏側における制御装置が上記遊技機設置構造体の付帯設備と干渉することがあり、そのような場合、遊技機が遊技機設置構造体に設置することができなかったり、制御装置の位置を変更する必要があるという欠点があった。
【特許文献１】特開２０００−１８９６３４号公報
【発明の開示】
【発明が解決しようとする課題】
【０００３】
発明が解決しようとする問題点は、制御装置が遊技機設置構造体の付帯設備と干渉することがあるという点である。
【課題を解決するための手段】
【０００４】
本発明に係る遊技機の制御装置は、制御に必要な電気部品の実装された回路基板を内蔵した制御筺体が遊技店の遊技機設置構造体に取り付けられる遊技機枠の裏側に設けられた遊技機の制御装置において、遊技機設置構造体の付帯設備を避けるための領域を回路基板に割り当て、この割り当てられた回路基板の領域を制御に必要な電気部品の実装されない領域とし、この電気部品の実装されない領域に対応する制御筺体の部分をその他の部分よりも遊技機枠の裏側への突出量を小さくしたり、制御に必要な電気部品の実装された回路基板を内蔵した制御筺体が遊技店の遊技機設置構造体に取り付けられる遊技機枠の裏側に設けられた遊技機の制御装置において、遊技機設置構造体の付帯設備を避けるための領域を回路基板に割り当て、この割り当てられた回路基板の領域を除去し、この除去された領域に対応する制御筺体の部分を除去するかまたはその他の部分より遊技機枠の裏側への突出量を小さくしたり、制御に必要な電気部品の実装された回路基板を内蔵した制御筺体が遊技店の遊技機設置構造体に取り付けられる遊技機枠の裏側に設けられた遊技機の制御装置において、遊技機設置構造体の付帯設備を避けるための領域を回路基板に割り当て、この割り当てられた回路基板の領域以外の領域に制御に必要な電気部品のうちで遊技機設置構造体の付帯設備を避けることの不可能な高さの電気部品を実装し、上記割り当てられた回路基板の領域に制御に必要な電気部品のうちで遊技機設置構造体の付帯設備を避けることの可能な高さの低い電気部品を実装し、この高さの低い電気部品の実装された領域に対応する制御筺体の部分をその他の部分よりも遊技機枠の裏側への突出量を小さくしたりすることを最も主要な特徴とする。
【発明の効果】
【０００５】
本発明の係る遊技機の制御装置は、遊技機枠が遊技機設置構造体に設置された場合、遊技機設置構造体の付帯設備が遊技盤または球誘導部材の裏面に取り付けられる制御装置の逃部に配置され、制御装置が遊技機設置構造体の付帯設備と干渉することがないので、制御装置の遊技盤または球誘導部材の裏面に取り付けられる位置を変更せずに、遊技機が遊技店の遊技機設置構造体に容易に設置することができるという利点がある。
【発明を実施するための最良の形態】
【０００６】
図１−図４は、遊技機としてパチンコ機を例示した発明を実施するための最良の形態である。図１はパチンコ機の側面を示す。図２−図４は、それぞれ異なる構造の制御装置を示す。
【０００７】
図１を参照し、パチンコ機について説明する。パチンコ機の遊技機枠１は、パチンコ店の遊技設置構造体２１に取り付けるための外枠と呼ばれるような縦長な長方形の空間を囲む額縁形状の固定枠２の前面に、前枠または中枠と呼ばれるような縦長な長方形の空間を囲む額縁形状の可動枠３を図外のヒンジで前側横方向に片開き可能に備え、可動枠３の前面に、パネル枠４および球皿構造体５を図外のヒンジで前側横方向に片開き可能に取り付けられた構造である。可動枠３は内部に遊技盤６を格納する遊技主体収納室７を形成する遊技主体収納構造体８を備える。
【０００８】
そして、遊技主体収納室７に格納され遊技盤６の裏面に設けられた盤側裏部品を遊技主体収納室７から裏側に突出するための開口部９が、遊技主体収納構造体８に設けられている。盤側裏部品には、遊技盤６の前面の遊技領域から遊技盤６の裏側に排出されたパチンコ球と呼ばれる球を下方に誘導して排出するセット板と呼ばれる球誘導部材１０、球誘導部材１０の裏面や遊技盤６の裏面に設けられた主制御装置や演出制御装置などの複数の制御装置１１、図柄制御装置を背負った図柄表示器、遊技盤６の前面に取り付けられた表部品における遊技盤６を貫通して遊技盤６の裏側に突出された部品裏機構部などがある。パネル枠４は、前後方向に開放された窓１２をガラスまたは合成樹脂からなる光透過性を有する前面パネル１３で塞いだ構造である。球皿構造体５は、遊技に使用する球を入れる球収納部１５、球収納部１５に入れられた球を遊技盤６の遊技領域に発射する操作を遊技者が行うための発射操作機構１６を備える。
【０００９】
可動枠３は、裏面に、枠側裏部品を備える。枠側裏部品には、遊技機設置構造体２１の補給機構から供給された球を貯蔵するタンク１８、タンク１８に貯蔵され球を賞球や貸球として球皿構造体５の球収容部に払い出す払出機構１９、発射機構や払出機構１９を制御する発射払出制御装置、遊技盤６や可動枠３に設けられた制御装置１１や電気部品に電力を供給する電源装置２０などがある。
【００１０】
盤側裏部品や枠側裏部品のうちで、固定枠２の内部空間を貫通して裏側に突出するものは、タンク１８、制御装置１１などである。タンク１８は、遊技機設置構造体２１の補給機構から供給された球を貯蔵する関係から、遊技機設置構造体２１の付帯設備２２に干渉することがないように、可動枠３に設置される位置を所定の位置に特定されている。遊技盤６または球誘導部材１０の裏面に取り付けられる主制御装置や演出制御装置は、制御装置１１の種類や部品裏機構部との関係などによって、遊技盤６や可動枠３に設置される位置を所定の位置に特定できず、遊技盤６の機種によって、変更される場合がある。
【００１１】
この遊技盤６または球誘導部材１０の裏面に取り付けられる制御装置１１には、遊技機設置構造体２１の付帯設備２２を避けるための逃部２３が設けられている。よって、遊技機枠１が遊技機設置構造体２１に設置された場合、遊技機設置構造体２１の付帯設備２２が遊技盤６または球誘導部材１０の裏面に取り付けられる制御装置１１の逃部２３に配置され、制御装置１１が遊技機設置構造体２１の付帯設備２２と干渉することがないので、制御装置１１の遊技盤６または球誘導部材１０の裏面に取り付けられる位置を変更せずに、遊技機が遊技店の遊技機設置構造体２１に容易に設置することができるという利点がある。
【００１２】
図２を参照し、図１の制御装置１１に相当する制御装置２５の構造について説明する。制御装置２５では、図１の遊技機設置構造体２１の付帯設備２２を避けるための領域２６が回路基板２７に割り当てられ、この割り当てられた回路基板２７の領域２６が制御に必要な電気部品２８の実装されない領域として形成され、この電気部品２８の実装されない領域２６に対応する制御筺体２９の部分がその他の部分よりも図１に示す遊技機枠１の裏側への突出量を小さくした逃部２３を備える。制御筺体２９は、図１に示す遊技盤６または球誘導部材１０の裏面に取り付けられる前ケース３０と、回路基板２７に実装された制御に必要な電気部品２８を覆うように前ケース３０に取り付けられる後ケース３１とを備える。前ケース３０と後ケース３１との間に回路基板２７を挟むように、前ケース３０と後ケース３１とが互いに組み合わされることによって、回路基板２７が前ケース３０と後ケース３１とで囲まれた内部空間に内蔵されて前ケース３０と後ケース３１とで支持された後、前ケース３０と後ケース３１とが互いに結合されることによって、後ケース３１の逃部２３が回路基板２７の板面または電気部品２８の実装されない領域の回路基板２７の板面に付設された箔状の配線３２に接触した構造になっている。
【００１３】
図３は、図２と異なる制御装置３５の構造について説明する。制御装置３５では、図１の遊技機設置構造体２１の付帯設備２２を避けるための領域３６が回路基板３７に割り当て、この割り当てられた回路基板３７の領域３６が除去され、この除去された領域に対応する制御筺体３８の部分が除去されるかまたはその他の部分より図１に示す遊技機枠１の裏側への突出量を小さくした逃部２３を備える。制御筺体３８は、図１に示す遊技盤６または球誘導部材１０の裏面に取り付けられる前ケース３９と、回路基板３７に実装された制御に必要な電気部品４０を覆うように前ケース３９に取り付けられる後ケース４１とを備える。前ケース３９と後ケース４１との間に回路基板３７を挟むように、前ケース３９と後ケース４１とが互いに組み合わされることによって、回路基板３７が前ケース３９と後ケース４１とで囲まれた内部空間に内蔵されて前ケース３９と後ケース４１とに支持された後、前ケース３９と後ケース４１とが互いに結合されることによって、後ケース４１の逃部２３が回路基板３７の除去され領域３６を覆うかまたは電気部品３８の実装されない領域の回路基板３７の板面に付設された箔状の図外の配線に接触する構造になっている。
【００１４】
図４は、図２および図３と異なる制御装置４５の構造について説明する。図１の遊技機設置構造体２１の付帯設備２２を避けるための領域４６が回路基板４７に割り当て、この割り当てられた回路基板４７の領域４６以外の領域に制御に必要な電気部品のうちで遊技機設置構造体２１の付帯設備２２を避けることの不可能な高さの電気部品４８を実装し、上記割り当てられた回路基板４７の領域４６に制御に必要な電気部品のうちで遊技機設置構造体２１の付帯設備２２を避けることの可能な高さの低い電気部品４９を実装し、この高さの低い電気部品４９の実装された領域４６に対応する制御筺体５０の部分がその他の部分よりも図１に示す遊技機枠１の裏側への突出量を小さく逃部２３を備える。制御筺体５０は、図１に示す遊技盤６または球誘導部材１０の裏面に取り付けられる前ケース５１と、回路基板４７に実装された制御に必要な電気部品４８；４９を覆うように前ケース５１に取り付けられる後ケース５２とを備える。前ケース５１と後ケース５２との間に回路基板４７を挟むように、前ケース５１と後ケース５２とが互いに組み合わされることによって、回路基板４７が前ケース５１と後ケース５２とで囲まれた内部空間に内蔵されて前ケース５１と後ケース５２とに支持された後、前ケース５１と後ケース５２とが互いに結合されることによって、後ケース５２の逃部２３が高さの低い電気部品４９に接触するかまたは接触する程度に近づけられた構造になっている。電気部品４８と電気部品４９は、回路基板４７板面に付設された箔状の配線５３で互いに接続されている。
【産業上の利用可能性】
【００１５】
制御装置１１は、遊技機枠１における可動枠３に取り付けられた制御装置でもあっても同様に適用することができる。遊技機としては、スロットマシンでもよい。
【図面の簡単な説明】
【００１６】
【図１】パチンコ機を示す側面図（最良の形態）。
【図２】制御装置を示す分解図（最良の形態）。
【図３】図２と異なる制御装置を示す分解図（最良の形態）。
【図４】図２および図３と異なる制御装置を示す分解図（最良の形態）。
【符号の説明】
【００１７】
１    遊技機枠
１１  制御装置
２１  遊技機設置構造体
２２  付帯設備
２３  逃部
【図１】
2006014799.tif 000003
【図２】
2006014799.tif 000004
【図３】
2006014799.tif 000005
【図４】
2006014799.tif 000006